【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
ネットワークに接続される機器を画面に表示するＵＩ表示装置であって、
前記画面に表示する情報か否かを示す表示判定情報を格納する記録手段と、
前記ネットワークに接続された他の機器と通信を行う通信手段と、
前記通信手段を用いて前記ネットワーク上の機器に関する機器関連情報を取得する取得手段と、
前記取得手段において取得した機器関連情報と、前記記録手段に記録されている前記表示判定情報とを比較して、前記機器関連情報が前記表示判定情報に含まれるか否かを判定する判定手段と、
前記判定手段において前記機器関連情報が前記表示判定情報に含まれると判定される場合には、前記通信手段を介して取得した前記機器関連情報の表示を行う表示手段と、
前記通信手段において少なくとも１つ以上の通信プロトコルを用いて通信を行う場合には、通信プロトコル毎の通信状態を記録する通信状態記録手段とを備え、
前記取得手段は、前記通信手段を用いて少なくとも１つ以上の通信プロトコルを組み合わせて前記機器関連情報を取得し、
前記表示手段は、前記通信状態記録手段に記録されている前記通信状態と前記取得手段において取得した前記機器関連情報とに応じて表示を行う
ことを特徴とするＵＩ表示装置。
【請求項２】
前記通信手段は、前記ネットワークに接続された他の機器と複数の通信プロトコルを用いて通信を行い、
前記通信状態記録手段は、通信プロトコル毎の通信状態を記録し、
前記取得手段は、前記通信手段を用いて複数の通信プロトコルを組み合わせて前記機器関連情報を取得し、
前記表示手段は、前記通信状態記録手段に記録されている前記通信状態と前記取得手段において取得した前記機器関連情報とに応じて表示を行う
ことを特徴とする請求項１記載のＵＩ表示装置。
【請求項３】
前記記録手段に記録されている前記表示判定情報には、前記機器の種別を表す機器種別情報、前記機器自体の情報を表す機器情報、前記機器が提供するサービス内容を表す機器サービス情報、又は当該サービスの属性を示すサービス属性情報の少なくとも１つが含まれる
ことを特徴とする請求項１記載のＵＩ表示装置。
【請求項４】
前記取得手段において取得する前記機器関連情報には、前記機器の種別を表す機器種別情報、前記機器自体の情報を表す機器情報、前記機器が提供するサービス内容を表す機器サービス情報、又は当該サービスの属性を示すサービス属性情報の少なくとも１つが含まれる
ことを特徴とする請求項１記載のＵＩ表示装置。
【請求項５】
前記ＵＩ表示装置は、さらに、
前記取得手段において取得した前記機器関連情報が正当な機器からの送信か否かを、当該機器を特定するための識別子を用いて認証する認証手段を備え、
前記認証手段において前記機器関連情報が正当であると認証される場合には、前記表示手段は前記機器関連情報を表示する
ことを特徴とする請求項１記載のＵＩ表示装置。
【請求項６】
前記表示は、アイコン表示又は文字表示であり、
前記表示手段は、前記判定手段において表示すると判定する場合において前記機器関連情報に対応する前記アイコン表示又は前記文字表示を行う
ことを特徴とする請求項１記載のＵＩ表示装置。
【請求項７】
前記表示は、アイコン表示又は文字表示であり、
前記表示手段は、前記判定手段において表示すると判定する場合において前記通信状態毎に異なる前記アイコン表示又は文字表示を行う
ことを特徴とする請求項１記載のＵＩ表示装置。
【請求項８】
前記ＵＩ表示装置は、さらに、
前記記録手段に記録される前記表示判定情報をユーザが選択して入力及び更新するための入力更新手段を備える
ことを特徴とする請求項１から７のいずれか１項に記載のＵＩ表示装置。
【請求項９】
ネットワークに接続される機器を画面に表示するＵＩ表示装置に用いるＵＩ表示方法であって、
前記画面に表示する情報か否かを示す表示判定情報を格納する記録ステップと、
前記ネットワークに接続された他の機器と通信を行う通信ステップと、
前記通信ステップにおいて前記ネットワーク上の機器に関する機器関連情報を取得する取得ステップと、
前記取得ステップにおいて取得した機器関連情報と、前記記録ステップにおいて記録されている前記表示判定情報とを比較して、前記機器関連情報が前記表示判定情報に含まれるか否かを判定する判定ステップと、
前記判定ステップにおいて前記機器関連情報が前記表示判定情報に含まれると判定される場合には、前記通信ステップにおいて取得した前記機器関連情報の表示を行う表示ステップと、
前記通信ステップにおいて少なくとも１つ以上の通信プロトコルを用いて通信を行う場合には、通信プロトコル毎の通信状態を記録する通信状態記録ステップとを含み、
前記取得ステップにおいては、前記通信ステップにおいて少なくとも１つ以上の通信プロトコルを組み合わせて前記機器関連情報を取得し、
前記表示ステップにおいては、前記通信状態記録ステップにおいて記録されている前記通信状態と前記取得ステップにおいて取得した前記機器関連情報とに応じて表示を行う
ことを特徴とするＵＩ表示方法。
【請求項１０】
前記通信ステップにおいては、前記ネットワークに接続された他の機器と複数の通信プロトコルを用いて通信を行い、
前記通信状態記録ステップにおいては、通信プロトコル毎の通信状態を記録し、
前記取得ステップにおいては、前記通信ステップにおいて複数の通信プロトコルを組み合わせて前記機器関連情報を取得し、
前記表示ステップにおいては、前記通信状態記録ステップにおいて記録されている前記通信状態と前記取得ステップにおいて取得した前記機器関連情報とに応じて表示を行う
ことを特徴とする請求項９記載のＵＩ表示方法。
【請求項１１】
前記記録ステップにおいて記録されている前記表示判定情報には、前記機器の種別を表す機器種別情報、前記機器自体の情報を表す機器情報、前記機器が提供するサービス内容を表す機器サービス情報、又は当該サービスの属性を示すサービス属性情報の少なくとも１つが含まれる
ことを特徴とする請求項９記載のＵＩ表示方法。
【請求項１２】
前記取得ステップにおいて取得する前記機器関連情報には、前記機器の種別を表す機器種別情報、前記機器自体の情報を表す機器情報、前記機器が提供するサービス内容を表す機器サービス情報、又は当該サービスの属性を示すサービス属性情報の少なくとも１つが含まれる
ことを特徴とする請求項９記載のＵＩ表示方法。
【請求項１３】
前記ＵＩ表示方法には、さらに、
前記取得ステップにおいて取得した前記機器関連情報が正当な機器からの送信か否かを、当該機器を特定するための識別子を用いて認証する認証ステップを含み、
前記認証ステップにおいて前記機器関連情報が正当であると認証される場合には、前記表示ステップにおいて前記機器関連情報を表示する
ことを特徴とする請求項９記載のＵＩ表示方法。
【請求項１４】
前記表示は、アイコン表示又は文字表示であり、
前記表示ステップにおいては、前記判定ステップにおいて表示すると判定する場合において前記機器関連情報に対応する前記アイコン表示又は前記文字表示を行う
ことを特徴とする請求項１３記載のＵＩ表示方法。
【請求項１５】
前記表示は、アイコン表示又は文字表示であり、
前記表示ステップにおいては、前記判定ステップにおいて表示すると判定する場合において前記通信状態毎に異なる前記アイコン表示又は文字表示を行う
ことを特徴とする請求項１３記載のＵＩ表示方法。
【請求項１６】
前記ＵＩ表示方法は、さらに、
前記記録ステップにおいて記録される前記表示判定情報をユーザが選択して入力及び更新するための入力更新ステップを含む
ことを特徴とする請求項９から１５のいずれか１項に記載のＵＩ表示方法。
【請求項１７】
請求項１から８のいずれかに記載のＵＩ表示装置の全部又は一部の手段の全部又は一部の機能をコンピュータにより実行させる
ことを特徴とするプログラム。
【請求項１８】
請求項１から８のいずれかに記載のＵＩ表示装置の全部又は一部の手段の全部又は一部の機能をコンピュータにより実行させるためのプログラム及び／又はデータを保持した記録媒体であって、コンピュータにより処理可能である
ことを特徴とする記録媒体。
【手続補正２】
【補正対象書類名】明細書
【補正対象項目名】０００９
【補正方法】変更
【補正の内容】
【０００９】
上記の課題を解決するために、本発明のＵＩ表示装置は、ネットワークに接続される機器を画面に表示するＵＩ表示装置であって、前記画面に表示する情報か否かを示す表示判定情報を格納する記録手段と、前記ネットワークに接続された他の機器と通信を行う通信手段と、前記通信手段を用いて前記ネットワーク上の機器に関する機器関連情報を取得する取得手段と、前記取得手段において取得した機器関連情報と、前記記録手段に記録されている前記表示判定情報とを比較して、前記機器関連情報が前記表示判定情報に含まれるか否かを判定する判定手段と、前記判定手段において前記機器関連情報が前記表示判定情報に含まれると判定される場合には、前記通信手段を介して取得した前記機器関連情報の表示を行う表示手段とを備え、前記通信手段において少なくとも１つ以上の通信プロトコルを用いて通信を行う場合には、通信プロトコル毎の通信状態を記録する通信状態記録手段とを備え、前記取得手段は、前記通信手段を用いて少なくとも１つ以上の通信プロトコルを組み合わせて前記機器関連情報を取得し、前記表示手段は、前記通信状態記録手段に記録されている前記通信状態と前記取得手段において取得した前記機器関連情報とに応じて表示を行うことを特徴とする。
また、本発明に係るＵＩ表示装置の前記通信手段は、前記ネットワークに接続された他の機器と複数の通信プロトコルを用いて通信を行い、前記通信状態記録手段は、通信プロトコル毎の通信状態を記録し、前記取得手段は、前記通信手段を用いて複数の通信プロトコルを組み合わせて前記機器関連情報を取得し、前記表示手段は、前記通信状態記録手段に記録されている前記通信状態と前記取得手段において取得した前記機器関連情報とに応じて表示を行うことを特徴とする。
また、本発明のＵＩ表示装置の前記記録手段に記録されている前記表示判定情報には、前記機器の種別を表す機器種別情報、前記機器自体の情報を表す機器情報、前記機器が提供するサービス内容を表す機器サービス情報、又は当該サービスの属性を示すサービス属性情報の少なくとも１つが含まれることを特徴とする。
さらに、本発明のＵＩ表示装置の前記取得手段において取得する前記機器関連情報には、前記機器の種別を表す機器種別情報、前記機器自体の情報を表す機器情報、前記機器が提供するサービス内容を表す機器サービス情報、又は当該サービスの属性を示すサービス属性情報の少なくとも１つが含まれることを特徴とする。
従って、本発明に係るＵＩ表示装置は、表示手段に表示するか否かを示す情報である表示判定情報を記録する記録手段を備え、判定手段において通信相手からの機器関連情報を表示するか否かの判定を行うことができる。従って、ネットワークを介して多くの他の通信機器と接続されているようなＵＩ表示装置においても、画面に表示される情報を限定して、複数の画面操作を要求されることなく、好みの情報を表示することが可能となる。
【手続補正３】
【補正対象書類名】明細書
【補正対象項目名】００１０
【補正方法】変更
【補正の内容】
【００１０】
また、本発明に係るＵＩ表示装置は、複数の通信プロトコルを用いるような場合においても通信状態記録手段において通信状態を記録して、通信状態の遷移に応じてアイコン表示又は文字表示を行うことが可能となり、ユーザが通信プロトコルに応じた通信状態を容易に把握することが可能となる。